(57)【特許請求の範囲】
【請求項１】
脱毛装置であって、
ハウジング（１０）と、
操作中に皮膚から毛を引き抜くために前記ハウジング（１０）のヘッド部（１１）に取り付けられている脱毛シリンダー（２０）と、
前記ハウジング（１０）と取り外し可能に接続されているアタッチメント（１）と、
を備え、
前記アタッチメント（１）は、使用方向（Ｂ’）を画定する少なくとも１つの剃毛刃（６）を含み、
前記剃毛刃（６）は、前記使用方向（Ｂ’）に沿って皮膚上を引かれて毛を剃り落とすようになっていて、
前期剃毛刃（６）は、取り付けられている状態で、操作中の皮膚領域に渡る前記脱毛装置（１００）の単一ストローク中に連続した順序で前記脱毛シリンダー（２０）が皮膚から毛を引き抜いて前記剃毛刃（６）が皮膚と接触して皮膚から毛を剃り落とすように、前記使用方向（Ｂ’）に対して前記脱毛シリンダー（２０）の後方に配置されており、
前記脱毛シリンダー（２０）が前記アタッチメント（１）によって部分的に覆われていて、前記脱毛シリンダー（２０）の覆われていない部分が前記アタッチメント（１）の開口（４）の中へ延在するように、前記アタッチメント（１）は、ヘッド部で前記ハウジング（１０）に接続されている、脱毛装置。
【請求項２】
前記アタッチメント（１）は、前記アタッチメント（１）を前記ハウジング（１０）の前記ヘッド部（１１）に接続するための少なくとも１つのコネクタ構造体を有する第１フレーム構造体（２）と、前記剃毛刃（５）及び前記開口（４）を含む第２フレーム構造体（３）と、を含み、
前記第２フレーム構造体（３）は、旋回軸（Ｒ）に対して旋回できるように前記第１フレーム構造体（２）に取り付けられている、請求項１に記載の脱毛装置。
【請求項３】
前記第２フレーム構造体（３）は、前記第１フレーム構造体（２）に取り外し可能に取り付けられている、請求項２に記載の脱毛装置。
【請求項４】
前記アタッチメント（１）は、第１フレーム構造体と、連結構造体と、剃毛刃カートリッジと、を含み、
前記剃毛刃カートリッジは、前記剃毛刃（６）を含み、かつ、前記連結構造体を介して前記第１フレーム構造体（２）に取り外し可能に連結されている、請求項１に記載の脱毛装置。
【請求項５】
前記剃毛刃カートリッジは、前記第１のフレーム構造体に対して回動自在に取り付けられている、請求項４に記載の脱毛装置。
【請求項６】
脱毛装置（１００）が形成されるように、ハウジング（１０）のヘッド部（１１）に取り外し可能に接続できるように配置されるアタッチメントであって、
前記アタッチメント（１）は、
剃毛刃（６）と、
開口（４）と、
を含み、
前記剃毛刃（６）は、前記剃毛刃（６）の使用方向（Ｂ’）に対して前記開口（４）の後方に配置されており、
前記ハウジング（１０）の前記ヘッド部（１１）に取り付けられている脱毛シリンダー（２０）が、接続された状態で前記開口（４）の中へ延在するように、前記開口（４）が配置されている、アタッチメント。
【発明の詳細な説明】
【技術分野】
【０００１】
本発明は、アタッチメントを有する脱毛装置に関し、更にそのようなアタッチメントに関する。
【背景技術】
【０００２】
国際特許出願第ＷＯ  ２００７／０３３７４６  Ａ１号から、かみそり、又は脱毛装置のアタッチメントは既知で、アタッチメントは、例えば、角質片を摩耗させる、及び皮膚の滑らかさを改善するために、剃毛される、又は脱毛される皮膚を磨くための研磨体（研磨材要素）を含む。
【先行技術文献】
【特許文献】
【０００３】
【特許文献１】国際特許出願第ＷＯ  ２００７／０３３７４６  Ａ１号
【発明の概要】
【発明が解決しようとする課題】
【０００４】
今やアタッチメントを備えた脱毛装置、並びにユーザーに一層の機能性及び快適感を与える脱毛装置用のアタッチメントを供給することが望ましい。
【課題を解決するための手段】
【０００５】
アタッチメントを備えた請求項１に記載の脱毛装置、及び請求項７に記載のアタッチメントが提供される。
【０００６】
請求項１に記載の脱毛装置は、ハウジングと、ハウジングのヘッド部に取り付けられている脱毛シリンダーと、アタッチメントとを有する。アタッチメントは、脱毛シリンダーが部分的に覆われるように、脱毛装置のヘッド部に取り外し可能に取り付けられている。したがって、アタッチメントは、脱毛装置の外観を完成させるので審美的な手段であり、操作中に相当な速度で回転している脱毛シリンダーを部分的に覆うので、保護手段でもある。更には、アタッチメントは開口を有し、脱毛シリンダーの覆われていない部分が、操作中に皮膚と接触して毛を締め付けて引き抜くために開口の中へ延在する。アタッチメントは更に、脱毛装置の使用方向に対して、脱毛シリンダーの後方に配置されている剃毛刃（又は複数の剃毛刃）を含む（これは、脱毛シリンダーの使用方向と剃毛刃の使用方向とが一致することを意味する。すなわち、脱毛シリンダーが剃毛刃の使用方向に対して剃毛刃の前方に配置されている）。脱毛シリンダーの必然的な不完全な引き抜き効率（「引き抜き効率」は、皮膚領域当たりの単一ストロークで引き抜かれる毛を、脱毛処置の前に皮膚領域上に存在する毛で割った比率と定義される）に起因して、皮膚から引き抜かれていない毛が同じ単一ストロークで剃り落とされるように、剃毛刃（単数又は複数）は、操作中に皮膚と接触する。この特定の組み合わせによって提案された脱毛装置は、脱毛と剃毛とは２つの別個の除毛技術で、ユーザーは剃毛、又は脱毛のどちらかをするが、両方を一緒にしない、という周知の偏見を克服する。今や、剃毛刃の前方（使用方向に対して）に配置されている脱毛シリンダーの組み合わせが発見されたことで、単一ストロークでほとんど完全な除毛が可能になり、したがって、単一ストロークでほぼ１００％の除毛効率が可能になる（総合的な除毛効率は、脱毛装置が皮膚の上を引かれる速度、及び剃毛刃の数に左右される）。これは、ユーザーが、毛が完全に引き抜かれるまで領域を数回脱毛する必要がないので、除毛の貴重な時間を節約し、更に処置の間の引き抜く痛みが低減される。更に、剃毛された皮膚は、滑らかで清潔に感じられ、脱毛だけされる皮膚の乾燥した痒い感じに比べると、本質的な改善である。したがって、この種の脱毛と剃毛との組み合わせは、理論上有益なだけでなく、ユーザーに驚くほど好評である。
【０００７】
別の実施形態では、アタッチメントは、第１（又は外部）フレーム構造体と、第２（又は内部）フレーム構造体とを含み、開口及び剃毛刃（単数又は複数）は、第２フレーム構造体の一部である。そして第２フレーム構造体は、第１フレーム構造体に対して第２フレーム構造体が旋回できるように、第１フレーム構造体に取り付けられている。これによって、例えば、旋回する第２フレーム構造体を脱毛シリンダーと連結させること、及び締め付け点が第２フレーム構造体で固定されるように、旋回角度にしたがって締め付け点をシフトさせることが可能になる。そのような実現では、締め付け点が皮膚と接触する第２フレーム構造体に固定されつつ、ユーザーは、皮膚に対してハウジングの異なる角形成で脱毛装置を使用することができる。
【０００８】
前述の実施形態を改良したものでは、第２フレーム構造体は更に、第１フレーム構造体に取り外し可能に取り付けられている。これによって、第２フレーム構造体を使い捨てユニットとして具体的に実現することが可能である。
【０００９】
別の実施形態では、アタッチメントは、第１フレーム構造体と、少なくとも１つの剃毛刃が組み込まれる剃毛刃カートリッジと、剃毛刃カートリッジを第１フレーム構造体に解除可能に連結するための連結構造体とを含む。これによって、剃毛刃カートリッジを使い捨てユニットとして実現することが可能である。この実施形態を改良したものでは、剃毛刃カートリッジは、第１フレーム構造体に対して回動自在に取り付けられている。これは、脱毛装置を皮膚に接して当てると、剃毛刃カートリッジが、固定取り付けの場合よりも、皮膚の形状により良く追従することを意味する。脱毛シリンダー及び剃毛刃を含む接触領域が相対的に広いので、これは、脱毛シリンダー及び剃毛刃の皮膚との接触の改善につながり、したがって、除毛効率の向上につながる。
【００１０】
本発明は更に、脱毛装置が形成されるように、脱毛装置のハウジングに取り外し可能に接続することができるアタッチメントに関する。アタッチメントは、開口と、剃毛刃とを有し、剃毛刃は剃毛刃の使用方向に対して開口の後方に配置されている。開口は、ハウジングのヘッド部に取り付けられている脱毛シリンダーが、毛を引き抜くためにアタッチメントが接続された状態で開口の中へ延在するように配置され、アタッチメントは更に、脱毛シリンダーを部分的に覆う。
【図面の簡単な説明】
【００１１】
提案された脱毛装置はアタッチメントを備え、アタッチメントは更に、例示的な実施形態の説明、及び図の参照によって明らかとなる。図中、
【図１】提案された例示的なアタッチメントの図。
【図２】図１に示されるアタッチメントを含む脱毛装置の描写。
【発明を実施するための形態】
【００１２】
図１は、提案されているアタッチメント１の例示的実施形態の図である。示されているアタッチメントは、第１（又は外部）フレーム構造体２を含む。第１フレーム構造体２は、アタッチメント１を脱毛装置のヘッド部に取り外し可能に接続するための、少なくとも１つの第１コネクタ要素９（ここでは凹部）を有し、ヘッド部には、適切な第２コネクタ構造体が提供され、例えば、脱毛装置のハウジングは、第１フレーム構造体２に設けられた凹部にスナップ作用で嵌め込まれる（又はその逆）、１つ以上のフックを備えることができ、ハウジングとアタッチメント１とを取り外し可能に接続する。示されるアタッチメント１は、第２（又は内部）フレーム構造体３を更に有し、第２フレーム構造体３が、第１フレーム構造体２に対して旋回軸Ｒの周りを旋回できるように、第１フレーム構造体２に取り付けられている。第２フレーム構造体３は頂上部に開口４を有し、頂上部はアタッチメント１が接続された脱毛装置を使用操作中の人の皮膚と、接触することが意図されている。開口４は、取り付けた状態で、脱毛装置の脱毛シリンダーが開口４の中へ延在するような大きさにしてあり、次に皮膚から毛を引き抜く操作中に、皮膚と接触するように配置されている。これは、図２を参照して更に説明される。第２フレーム構造体３の頂上部は、皮膚に優しく接触するために軟質材料を備えてもよい。したがって、第２フレーム構造体３は、軟質材料からなってもよく、又は軟質材料で積層されることもできる。軟質材料は、合成ゴム、又は天然ゴムであり得る。
【００１３】
示される実施形態では、複数の剃毛刃６（ここでは５つの刃）を含む刃ブロック５は、第２フレーム構造体３に固定して組み込まれる。あるいは、他のすべての数の剃毛刃、例えば、２つの刃、３つの刃、４つの刃、６つの刃等を、刃ブロック５に含むこともできる。刃ブロック５の代わりに、単一の剃毛刃６を第２フレーム構造体３に組み込むことができる。第２フレーム構造体３の頂上部に対する刃６（単数又は複数）は、刃ブロック５が安全かみそり（例えば、Ｇｉｌｌｅｔｔｅ  Ｖｅｎｕｓ  Ｂｒｅｅｚｅ安全かみそり）に組み込まれた場合と同じように、操作中に鋭い刃先が皮膚と接触するように配向される。そして剃毛刃（単数又は複数）は、剃毛刃６（単数又は複数）の使用方向Ｂ’を画定し、その方向に沿って、アタッチメント１が毛を剃り落とすために皮膚の上を引かれ、剃毛刃（単数又は複数）は、剃毛刃の使用方向Ｂ’に対して開口４の後方に配置されている。刃ブロック５（又は単一の剃毛刃６）に加えて、皮膚をぴんと張る軟質のラメラ７、並びに／又は１つ以上の潤滑ストリップ、並びに／又は使用操作中に清涼感がある材料及び／若しくは発泡性界面活性剤を放出する１つ以上のアプリケータユニットを、第２フレーム構造体３に組み込むことができる。
【００１４】
別の実施形態では、アタッチメント１は、単一の第１フレーム構造体のみを有し、その中に刃ブロック５、又は単一の刃６が組み込まれ、その中に上記に列挙したような他の機能（ラメラ、ストリップ、アプリケータユニット）もまた組み込むことができる。更に別の実施形態では、刃ブロック５、又は単一の刃６は、安全かみそりの技術分野では一般的に知られている連結システムを介して、第２フレーム構造体３（又は単一の第１フレーム構造体）に取り外し可能に接続することができる刃カートリッジに組み込まれる。あるいは、刃ブロック５、又は単一の刃６は、単一の第１フレーム構造体、又は示される第２フレーム構造体３のどちらかのサブフレーム構造体に組み込むことができる。このサブフレーム構造体は、例えば、単一の第１フレーム構造体、又は第２フレーム構造体３に取り外し可能にスナップ作用で嵌め込まれるように配置されている。取り外し可能な刃カートリッジ、又は取り外し可能なサブフレーム構造体を伴う一実施形態では、刃カートリッジ、又はサブフレーム構造体は、使い捨てユニットとして実現されている。組み込まれた刃ブロック５、又は単一の刃６を伴う一実施形態では、第２フレーム構造体３、又はアタッチメント１全体のどちらかは、使い捨てユニットとして実現され、例えば、刃６（単数又は複数）の切れ味が悪くなったとき、又は別のユーザーが、個人用のアタッチメントを伴って脱毛装置を使用する場合に、新しいアタッチメントと取り替えることができる。
【００１５】
単一の刃６、又は複数の刃の長手方向に延びる長さ、及び開口の中へ延在する脱毛シリンダーの軸方向の長さは、等しくなるように選択され、更に、例えば剃毛刃が、脱毛シリンダーが前もって毛を引き抜いていない場所を剃毛して、ある線条の皮膚上では、毛が他の皮膚領域よりも早く伸びてしまうのを防ぐために、操作中に装置が皮膚の上を引かれるとき、皮膚の同じ範囲を覆うように配置されている。
【００１６】
第２フレーム構造体３は更に、前部に櫛構造体８を含む。あるいは、そのような櫛構造体８の代わりに、皮膚を刺激する構造体（例えば、当該技術分野において周知であるスパイク付きのロールを含む）を使用方向に対して開口の前方に配置することができる。
【００１７】
図２には脱毛装置１００が示され、脱毛装置は、ハウジング１０と、脱毛装置１００のヘッド部１１に取り付けられている脱毛シリンダー２０と、脱毛装置１００のヘッド部に取り外し可能に取り付けられている、図１に示されるアタッチメント１とを備え、脱毛シリンダー２０がアタッチメント１によって部分的に覆われていて、覆われていない部分がアタッチメント１の開口４の中へ延在するように、アタッチメントが取り付けられている。脱毛シリンダー２０は、国際特許出願第ＷＯ  ２００６／０３７３９２  Ａ１号に説明されるように設計されてもよく、同文献は参照により本明細書内に組み込まれる。脱毛シリンダー２０は、対の締め付け要素２１を含む。脱毛シリンダー２０は、脱毛装置１００の操作中に回転し始める。対の締め付け要素２１は、開口内に配置されている締め付け部で閉まり、対の締め付け要素２１は、脱毛シリンダー２０が回転し続ける間、毛を締め付けて、最終的に皮膚から引き抜くように、ある回転角度に対して閉鎖位置を維持する。この対の締め付け要素２１の動作シーケンスが、皮膚と接触する範囲に対して対称ではないので、脱毛装置１００は、明確な本質的に所定の（好ましい）使用方向Ｂを有し、その方向に沿って、脱毛装置１００が皮膚の上を引かれて、効率的な毛の引き抜きを可能にする。ここで、使用方向Ｂが第２フレーム構造体３に固定され、第２フレーム構造体３が旋回軸Ｒの周りで旋回（図１で示されるように）できるので、ユーザーは皮膚に対して脱毛装置ハウジング１０の最適の角度を見つけることができる、又は脱毛される皮膚領域に基づいて角度を（ある範囲内で）変えることができる。アタッチメント１が接続された（又は取り付けられた）状態で、刃６、又は刃ブロック５は、（好ましい）使用方向Ｂに対して脱毛シリンダー５の後方に位置する（あるいは、言い換えれば、剃毛刃６は単一の使用方向Ｂ’のみを有し、反対方向に沿って引かれるときは役に立たないので、脱毛装置１００は、脱毛シリンダー２０、及び剃毛刃６によって、連続した順序で単一ストロークで除毛を可能にする単一の使用方向Ｂのみを有し、剃毛刃６は、この使用方向Ｂに対して脱毛シリンダー２０の後方に配置されている）。剃毛刃６の使用方向Ｂ’は、脱毛シリンダー２０の好ましい使用方向Ｂと一致し、したがって、皮膚の上を使用方向Ｂに沿って脱毛装置１００を引くことで、所定の皮膚領域の上での脱毛装置１００の単一ストロークで、第１の除毛処置として、脱毛シリンダーによって毛の連続的な引き抜き、及び第２の除毛処置として、剃毛刃によって毛の剃り落としができる。したがって、脱毛装置１００が、使用方向Ｂに沿って皮膚の上を引かれる場合、毛が対の締め付け要素２１の間に送り込まれ、閉じる対の締め付け要素２１によって毛が締め付けられ、次に締め付け要素２１の閉じた対が、回転する脱毛シリンダー２０と共に更に回転するとき、皮膚から引き抜かれる。引き抜き効率（所定の皮膚領域から単一ストロークで引き抜かれる毛を、引き抜く処置前にその皮膚領域上に存在する毛で割った比率である）は、脱毛シリンダー２０上の対の締め付け要素２１の密度、脱毛装置が皮膚の上を引かれる速度、脱毛シリンダー２０の回転速度等のいくつ��のパラメータに左右される。引き抜き効率は、実際には１００％にならず、通常それより低く、ユーザーが所定の皮膚領域の上で最初のストロークを行った後に、毛が皮膚に残ることを意味する。通常の脱毛装置を用いると、これは、ユーザーが、許容できる結果に達する（例えば、存在するすべての毛の９５％が脱毛される）まで、再び（そして再び）同じ皮膚領域を脱毛しなくてはならないことを意味する。提案されたアタッチメント１が使用された場合、刃６、又は刃ブロック５に組み込まれた複数の刃が、ユーザーが行わなければならない最初で唯一のストロークで、皮膚に残るそれらすべての毛を実質的に剃り落とすので、ユーザーは、皮膚領域を単一ストロークで、単一回脱毛するだけでよい。これは、除毛に費やす時間の大幅な短縮につながる。剃毛されただけの毛は、引き抜かれた毛より速く再度伸びるので、ユーザーは、（少なくとも当初は）提案されたアタッチメント１を備えた脱毛装置１００を、より頻繁に使用しなければならないが、第１回目に剃毛された毛は、ほぼ確実に次回に引き抜かれる。加えて、１つ以上の剃毛刃を使用することは、皮膚の感触の改善につながる。刃６の使用は、引き抜く脱毛装置のみを使用するよりも、より滑らかで、より清潔な皮膚の感触につながる。滑らかで清潔な皮膚の感触は、例えば、前述のアプリケータユニットから放出される清涼感のあるスキンローションを使用することによって、更に改善される場合がある。
【００１８】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【図１】
0005242812.tif 000002
【図２】
0005242812.tif 000003